(57)【要約】【課題】零相電流の抑制効果を向上させることができるとともに、零相電流以外の成分の電流の妨げになるおそれを低減することができる零相電流抑制リアクトル、巻線を提供する。【解決手段】実施形態の零相電流抑制リアクトル１は、それぞれの巻線導体２が、巻き始め端と巻き終わり端とが周方向において同じ位置になっているとともに巻き始め端が周方向を３等配した位置になっており、他の巻線導体２と並列になっている部位の長さがそれぞれ等しくなるように巻回されている。【選択図】図１
2019125647.tif 000002
【特許請求の範囲】
【請求項１】
三相電路にそれぞれ接続される３つの巻線導体を軸方向に並べて巻回した零相電流抑制リアクトルであって、
それぞれの前記巻線導体は、巻き始め端と巻き終わり端とが周方向において同じ位置になっているとともに巻き始め端が周方向を３等配した位置になっており、他の前記巻線導体と並列になっている部位の長さがそれぞれ等しくなるように巻回されていることを特徴とする零相電流抑制リアクトル。
【請求項２】
前記巻線導体は、鉄心の外周に巻回されるものであることを特徴とする請求項１記載の零相電流抑制リアクトル。
【請求項３】
前記巻線導体は、二脚鉄心の各脚部にそれぞれ巻回されるものであり、
各脚部の前記巻線導体は、電気的に直列または並列に接続されていることを特徴とする請求項１または２記載の零相電流抑制リアクトル。
【請求項４】
前記巻線導体は、二脚鉄心の各脚部にそれぞれ巻回されるものであり、
各脚部に巻回されている前記巻線導体のうちの１つは、巻き始め端および巻き終わり端が、２つの脚部の中心を通る仮想線上であってそれぞれの脚部の外側に位置するように配置されていることを特徴とする請求項１から３のいずれか一項記載の零相電流抑制リアクトル。
【請求項５】
三相電路にそれぞれ接続される３つの巻線導体を軸方向に並べて巻回した巻線であって、
それぞれの前記巻線導体は、巻き始め端と巻き終わり端とが周方向において同じ位置になっているとともに巻き始め端が周方向を３等配した位置になっており、他の前記巻線導体と並列になっている部位の長さがそれぞれ等しくなるように巻回されていることを特徴とする巻線。
【発明の詳細な説明】
【技術分野】
【０００１】
本発明の実施形態は、零相電流を抑制する零相電流抑制リアクトル、巻線に関する。
【背景技術】
【０００２】
近年、いわゆるパワーエレクトロニクス装置が電力系統においても多方面で採用されるようになり、それに伴って種々の課題が浮上してきた。例えば、インバータなどのパワーエレクトロニクス装置はその動作に伴って高調波電流が流出する可能性があり、各高調波成分に含まれる零相電流すなわち三相間で大きさが等しく位相が同相である成分が電路に流出すると、互いに打ち消し合わないことから、電路の周辺では誘導障害や電波障害を誘発するおそれがあった。そのため、パワーエレクトロニクス装置から流出する零相電流を抑制するために、零相電流抑制リアクトルを採用することがある（例えば、特許文献１参照）。
【先行技術文献】
【特許文献】
【０００３】
【特許文献１】特開２０１１−１０３４５５号公報
【発明の概要】
【発明が解決しようとする課題】
【０００４】
このような零相電流抑制リアクトルは、三相の電路にそれぞれ接続される３つの巻線導体が巻回され、それぞれの巻線導体間を磁気的に密結合させた構成となっているが、電路中に零相電流が流れにくくする抑制効果を有する必要がある一方、零相電流以外の成分の電流に対しては妨げとならないことが望ましい。
【０００５】
しかしながら、各相の巻線導体の磁気的な結合が不均等であると、電路中の零相電流の抑制効果が低減するという問題があることに加え、零相電流以外の成分の電流の妨げになることもある。
【０００６】
そこで、零相電流の抑制効果を向上させることができるとともに、零相電流以外の成分の電流の妨げになるおそれを低減することができる零相電流抑制リアクトル、巻線を提供する。
【課題を解決するための手段】
【０００７】
実施形態の零相電流抑制リアクトルは、三相電路にそれぞれ接続される３つの巻線導体を軸方向に並べて巻回したものであって、それぞれの巻線導体が、巻き始め端と巻き終わり端とが周方向において同じ位置になっているとともに巻き始め端が周方向を３等配した位置になっており、他の巻線導体と並列になっている部位の長さがそれぞれ等しくなるように巻回されている。
【図面の簡単な説明】
【０００８】
【図１】零相電流抑制リアクトルの構成および巻回態様を模式的に示す図
【図２】巻線導体の巻回態様を模式的に示す図
【図３】巻線導体の巻回態様を鉄心とともに模式的に示す図
【図４】零相電流抑制リアクトルの電気的な特性を説明するための図
【発明を実施するための形態】
【０００９】
以下、実施形態について図面を参照しながら説明する。
【００１０】
図１は、本実施形態による零相電流抑制リアクトル１の構成および巻回態様を示すものであり、筒状に形成されている零相電流抑制リアクトル１を周方向に展開した状態を模式的に示している。図１の場合、右端側が周方向における０度の位置を示し、左端側が３６０度つまりは１周した０度の位置を示している。なお、図１では、説明のために、各巻線導体２にはそれぞれ異なるハッチングを付して区別し易く示している。
【００１１】
この零相電流抑制リアクトル１は、Ｕ相、Ｖ相およびＷ相の三相に対応する３本の巻線導体２を並列に配置した状態で巻回することにより構成されている。各巻線導体２は、例えば複数本のリッツ線を束ねて平角状に形成したものや１本あるいは複数本の平角状の導体を用いたものが、その断面視において長手方向に隣り合うように並列に配置された状態で共に巻回されている。また、巻線導体２は、その表面に絶縁テープ等を巻き付けることにより絶縁されている。
【００１２】
以下、それぞれの相に対応する巻線導体２について説明する場合には、符号に「ｕ」、「ｖ」または「ｗ」を付して説明する。また、以下、各巻線導体２が隣り合っている方向を軸方向と称する。
【００１３】
零相電流抑制リアクトル１の場合、Ｗ相の巻線導体２ｗは、周方向における０度の位置が巻き始め（０Ｔ）となり、複数回巻回された後、３６０度の位置が巻き終わり（７Ｔ）となるように巻回されている。つまり、Ｗ相の巻線導体２ｗの場合、０度の位置が巻き始め端となり、３６０度の位置が巻き終わり端となっている。
【００１４】
また、Ｖ相の巻線導体２ｖは、周方向における１２０度の位置が巻き始め端となり、複数回巻回された後、１２０度の位置が巻き終わり端となるように巻回されており、Ｕ相の巻線導体２ｕは、周方向における２４０度の位置が巻き始め端となり、複数回巻回された後、２４０度の位置が巻き終わり端となるように巻回されている。図１では、Ｕ相の巻線導体２ｕの巻き始め端を「Ｕ」、巻き終わり端を「Ｏｕ」、Ｖ相の巻線導体２ｕの巻き始め端を「Ｖ」、巻き終わり端を「Ｏｖ」、Ｗ相の巻線導体２ｕの巻き始め端を「Ｗ」、巻き終わり端を「Ｏｗ」として示している。
【００１５】
つまり、各巻線導体２は、巻き始め端と巻き終わり端とが周方向において同じ位置になるように巻回されているとともに、巻き始め端が周方向を３等配した位置すなわち互いに周方向に１２０度ずれた位置となるように巻回されている。なお、図１ではＷ相の巻線導体２ｗの巻き始め端を便宜上０度の位置として示しているが、Ｕ相の巻線導体２ｕの巻き始め位置あるいはＶ相の巻線導体２ｖの巻き始め位置を０度とする等、任意の位置を０度に設定することができる。また、各巻線導体２の巻回回数は一例であり、これに限定されるものではない。
【００１６】
このような構成の零相電流抑制リアクトル１は、図２に示すように、二脚鉄心３の脚部３ａの外周に巻回される。このとき、零相電流抑制リアクトル１は、いずれかの巻線導体２の巻き始め端が、脚部３ａの中心を通る仮想線（ＣＬ）上であって脚部３ａの外側に位置するように配置されている。図２の場合、零相電流抑制リアクトル１は、Ｕ相の巻線導体２ｕの巻き始め端が、仮想線（ＣＬ）上に位置するように巻回されている。この場合、環状に形成される二脚鉄心３に、いわゆるギャップのような不連続部を設ける構成とすることもできる。
【００１７】
また、図３に示すように巻線導体２を二脚鉄心３の２つの脚部３ａにそれぞれ巻回した場合にも、例えばＵ相の巻線導体２ｕの巻き始め端が、脚部３ａの中心を通る仮想線（ＣＬ）上であって脚部３ａの外側に位置するように配置する構成とすることもできる。このとき、各脚部３ａの巻線導体２を電気的に直列または並列に接続する構成とすることもできる。なお、Ｕ相の巻線導体２の代わりに、Ｖ相の巻線導体２ｖあるいはＷ相の巻線導体２ｗが仮想線（ＣＬ）上に位置するように巻回する構成とすることもできる。
【００１８】
次に、上記した構成の作用について説明する。
【００１９】
前述のように、零相電流抑制リアクトル１は、電路中に零相電流が流れにくくする抑制効果を有する必要がある一方、零相電流以外の成分の電流に対しては妨げとならないことが望ましいものの、各相の巻線導体２の磁気的な結合が不均等であると電路中の零相電流の抑制効果が低減したり、零相電流以外の成分の電流の妨げになることがある。
【００２０】
そこで、本実施形態では、各巻線導体２の磁気的な結合を均一化することにより、零相電流の抑制効果を向上させることができるとともに、零相電流以外の成分の電流の妨げになるおそれを低減することができるようにしている。
【００２１】
図４は、零相電流抑制リアクトル１の等価回路を示している。ここで、零相電流（ｉ０）は、以下の（１）式で示されるように、各相の巻線導体２に流れる電流（ｉｕ、ｉｖ、ｉｗ）に含まれる任意の周波数ごとの、同相且つ同一の大きさの成分の合計となっている。
【００２２】
【数１】
2019125647.tif 000003
【００２３】
また、零相電流抑制リアクトル１に要求される仕様としては、大きく言えば以下の２つがある。
（１）零相電流（ｉ０）を極小化する。
（２）零相成分以外の電流に対するインダクタンスを極小化する。
【００２４】
この場合、各相のインダクタンス（Ｌｕ、Ｌｖ、Ｌｗ）を等しくすれば、より具体的に言えば、以下の（２）式から（４）式にて表されるＵ相−Ｖ相間の相互インダクタンス（Ｍｕｖ）、Ｖ相−Ｗ相間の相互インダクタンス（Ｍｖｗ）およびＷ相−Ｕ相間の相互インダクタンス（Ｍｗｕ）を等しくすれば、上記の仕様を満たすことができる。
【００２５】
【数２】
2019125647.tif 000004
【００２６】
そして、上記の（２）式から（４）式を満たすためには、図１に示したように、それぞれの巻線導体２を、巻き始め端と巻き終わり端とが周方向において同じ位置になるようにするとともに巻き始め端が周方向に３等配した位置になるように巻回すればよい。より詳細には、Ｕ相の巻線導体２ｕは、図１から明らかなようにＶ相の巻線導体２ｖと幾何学的に６巻き＋１／３巻き＋１／３巻き＝６＋２／３巻き分だけ並列になっているとともに、Ｗ相の巻線導体２ｗとも幾何学的に６＋２／３巻き分だけ並列になっている。
【００２７】
同様に、Ｖ相の巻線導体２ｖは、Ｕ相の巻線導体２ｕと幾何学的に６＋２／３巻き分だけ並列になっているとともに、Ｗ相の巻線導体２ｗとも幾何学的に６＋２／３巻き分だけ並列になっている。また、Ｗ相の巻線導体２ｗは、Ｕ相の巻線導体２ｕと幾何学的に６＋２／３巻き分だけ並列になっているとともに、Ｖ相の巻線導体２ｗとも幾何学的に６＋２／３巻き分だけ並列になっている。
【００２８】
つまり、各巻線導体２は、他の二相の巻線導体２と並列になっている部位の長さが、それぞれ等しく６＋２／３巻き分となっている。このように各巻線導体２の幾何学的な配置を等しくすることにより、各巻線導体２間の磁気的な結合が均一化される。そして、各巻線導体２間の磁気的な結合が均一化されれば、それぞれの相互インダクタンス（Ｍｕｖ、Ｍｖｗ、Ｍｗｕ）が等しくなり、各相のインダクタンス（Ｌｕ、Ｌｖ、Ｌｗ）が等しくなる。これにより、零相電流抑制リアクトル１は、要求される上記した（１）、（２）の仕様を満たすことができるようになる。
【００２９】
以上説明した実施形態によれば、次のような効果を得ることができる。
【００３０】
零相電流抑制リアクトル１は、それぞれの巻線導体２が、巻き始め端と巻き終わり端とが周方向において同じ位置になっているとともに巻き始め端が周方向を３等配した位置になっており、他の巻線導体２と並列になっている部位の長さがそれぞれ等しくなるように巻回されている。
【００３１】
これにより、各相の巻線導体２は他の巻線導体２に対する幾何学的な配置がそれぞれ等しくなり、相互インダクタンスが等しくなることから、各巻線導体２間の磁気的な結合が均一化される。これにより、各相のインダクタンス（Ｌｕ、Ｌｖ、Ｌｗ）が等しくなり、零相電流抑制リアクトル１に要求される仕様を満たすことから、零相電流の抑制効果を向上させることができるとともに、零相電流以外の成分の電流の妨げになるおそれを低減することができる。
【００３２】
また、上記した巻線構造によれば、他の巻線導体２に対する幾何学的な配置をそれぞれ等しくする状態を、零相電流抑制リアクトル１の軸方向の長さつまりは高さ寸法を最小とした状態で実現することができ、小型化を図ることができる。
【００３３】
また、巻線導体２は、二脚鉄心３のような鉄心の脚部３ａに巻回することもできる。これにより、磁気抵抗を下げることができ、磁束が増えてインダクタンスを増加させることができる。また、鉄心にギャップを設けることにより、磁気飽和が緩和されて一定のインダクタンスを得ることができる。また、各脚部３ａの巻線導体２を電気的に直列または並列に接続することにより、要求される様々な仕様に対応させることができる。
【００３４】
また、巻線導体２の巻き始め端と巻き終わり端とが周方向において同じ位置になっているとともに巻き始め端が周方向を３等配した位置になっており、他の巻線導体２と並列になっている部位の長さがそれぞれ等しくなるように巻回されている巻線であっても、実施形態の零相電流抑制リアクトル１と同様に、零相電流の抑制効果を向上させることができるとともに、零相電流以外の成分の電流の妨げになるおそれを低減することができ、また、小型化を図ることができる等、同様の効果を得ることができる。
【００３５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３６】
図面中、１は零相電流抑制リアクトルおよび巻線、２は巻線導体、３は二脚鉄心（鉄心）、３ａは脚部、ＣＬは仮想線を示す。
【図１】
2019125647.tif 000005
【図２】
2019125647.tif 000006
【図３】
2019125647.tif 000007
【図４】
2019125647.tif 000008